(57)【要約】【課題】携帯電話本体の無線部とは別に、外部機器とのインタフェースとして近距離無線通信機能を有する携帯電話端末では、ヘッドセットも携帯電話端末とは別に充電が必要となる。【解決手段】近距離無線機能付きヘッドセットＢは、携帯電話本体Ａと着脱自在に構成されており、装着状態にあるときには、外部コネクタ８に接続された充電器から充電回路９及びスイッチ１０、７を通してバッテリ５を充電し、また、バッテリ５の充電が十分であるときには、スイッチ７を切り替えて昇圧回路１１を通してヘッドセットバッテリ１７を充電する。これにより、ユーザはヘッドセットＢのバッテリ切れを気にすることなく、携帯電話本体Ａのバッテリさえ充電しておけば、いつでも近距離無線を使ったヘッドセットＢで通話をすることができる。ヘッドセットＢの取り外し時には、ヘッドセットＢの電源をオンとする。【選択図】            図１
2004215196.tif 000002
【特許請求の範囲】
【請求項１】
携帯電話本体と、該携帯電話本体と着脱自在に構成された近距離無線機能付きヘッドセットからなる携帯電話端末であって、
前記携帯電話本体は、
移動体通信システムの基地局との間で無線通信する第１の無線部と、前記ヘッドセットとの間で近距離無線通信を行う第２の無線部と、前記ヘッドセットの着脱状態を検出する検出回路と、電源電圧を出力する本体バッテリと、前記検出回路により検出された前記ヘッドセットとの着脱状態に応じて前記ヘッドセットの電源のオン／オフ動作及び前記第２の無線部の動作を制御する第１の制御手段とを有し、
前記ヘッドセットは、
電源電圧を出力するヘッドセットバッテリと、前記携帯電話本体との間で近距離無線通信を行う第３の無線部と、前記第１の制御手段からの制御信号に基づき前記ヘッドセットバッテリへの充電動作及び前記第３の無線部の動作を制御する第２の制御手段とを有することを特徴とする携帯電話端末。
【請求項２】
前記携帯電話本体は、外部コネクタに充電器が接続されたときに充電動作を行う充電回路と、前記本体バッテリからの電圧を前記ヘッドセットバッテリの充電に必要な電圧に昇圧する昇圧回路と、前記充電回路による充電先を前記本体バッテリ及び前記ヘッドセットバッテリの一方に切り替えると共に、前記本体バッテリからの電圧を前記昇圧回路に供給するか否か切り替えるスイッチ手段と、前記スイッチ手段を前記本体バッテリのバッテリ残量や外部からの充電状況に応じて制御する充電制御回路とを更に有することを特徴とする請求項１記載の携帯電話端末。
【請求項３】
前記充電制御回路は、前記外部コネクタに前記充電器が接続されたときには、前記充電回路による充電先を前記本体バッテリとし、前記本体バッテリの電圧が所定の閾値以上のときは前記本体バッテリの電圧を前記昇圧回路を通して前記ヘッドセットバッテリに供給するように前記スイッチ手段を制御することを特徴とする請求項２記載の携帯電話端末。
【請求項４】
前記充電制御回路は、前記本体バッテリの電圧が前記所定の閾値未満のときには、前記本体バッテリの電圧の前記昇圧回路への供給を停止するように前記スイッチ手段を制御することを特徴とする請求項２又は３記載の携帯電話端末。
【請求項５】
前記第１の制御手段は、前記検出回路により前記ヘッドセットの前記携帯電話本体からの取り外し動作が検出されたときには、前記ヘッドセットの電源をオンとし、前記検出回路により前記ヘッドセットの前記携帯電話本体への装着が検出されたときには、前記ヘッドセットの電源をオフに制御することを特徴とする請求項１記載の携帯電話端末。
【請求項６】
前記第１の制御手段は、前記検出回路により前記ヘッドセットの前記携帯電話本体からの取り外し動作が検出されたときには、前記第２の無線部の動作を開始し、前記第２の制御手段は、前記第３の無線部の動作を開始することを特徴とする請求項１又は５記載の携帯電話端末。
【請求項７】
前記携帯電話本体は、該携帯電話本体の動作状態を保存するメモリを有し、前記第１の制御手段は、前記検出回路により前記ヘッドセットの前記携帯電話本体からの取り外し動作が検出されたときには、前記第２の無線部が動作していないと判定したときにのみ前記携帯電話本体の前記第２の無線部の電源をオンとした後、該第２の無線部が動作していると判定したときはそのまま前記メモリに前記携帯電話本体の動作状態を保存し、前記検出回路により前記ヘッドセットの前記携帯電話本体への装着が検出されたときには、前記メモリから読み出した動作状態に戻すように制御することを特徴とする請求項１又は５記載の携帯電話端末。
【発明の詳細な説明】
【０００１】
【発明の属する技術分野】
本発明は携帯電話端末に係り、特に携帯電話本体の無線部とは別に、外部機器とのインタフェースとして近距離無線通信機能を有する携帯電話端末に関する。
【０００２】
【従来の技術】
近年、携帯電話端末の普及と通話時の利便を図るため、携帯電話端末での通話時にヘッドセットを使用したケースが広まりつつある。また、携帯電話端末の多機能化によりＭＰ３（ＭＰＥＧ−１  Ａｕｄｉｏ  Ｌａｙｅｒ  ３）などの音声圧縮技術に基づいて圧縮符号化した音楽データを携帯電話本体で再生し、ヘッドセットなどを通して音楽を聞くことが可能になっている。従来の携帯電話端末には、ヘッドセット用の端子は用意されているものの、そのヘッドセット用端子に有線でヘッドセットを接続して使用する必要がある。
【０００３】
また、近年、ブルーツース（Ｂｌｕｅｔｏｏｔｈ）など近距離無線通信インタフェース技術を使ったヘッドセットも普及してきているが、このヘッドセットを使用するには、近距離無線通信搭載携帯電話端末とは別に近距離無線機能に対応したヘッドセットを別途持ち歩かなければならない。また、前記携帯電話本体と近距離無線機能に対応したヘッドセット間の近距離無線リンク接続のためにユーザ操作を必要としたり、通話使用時に備えて、実際に通話等で使用中でなくとも常にリンクを張っておく必要があり、その間も電流消費を余儀なくされる。
【０００４】
また、携帯電話端末は、一般にユーザにより電池切れに気を配られ、卓上ホルダなどで手軽に携帯電話端末内の電池パックに充電できる構成とされている。一方、前記Ｂｌｕｅｔｏｏｔｈなど近距離無線機能に対応したヘッドセットも携帯電話端末とは別に充電が必要となり、使用したいときにヘッドセットのみ電池切れが発生するなどの状況が発生し得る。このため、ユーザは携帯電話端末だけでなく、ヘッドセット側の充電にも常に気を配らなければならない。従って、携帯電話本体からヘッドセットへ電源供給することができれば便利である。
【０００５】
一方、従来、電池パックの形状が異なる場合でも、十分容量が残っている携帯電話端末の電池パックを、容量が無い他の携帯電話端末のために使用可能とする携帯電話の充電方法が知られている（例えば、特許文献１参照）。
【０００６】
また、従来、ＰＨＳ端末等の携帯電話本体とＢｌｕｅｔｏｏｔｈヘッドセット間のＢｌｕｅｔｏｏｔｈ接続の際、音声処理を使って接続する機器を特定したり、機器登録を行うことを特徴とし、音声ガイド等によりその処理を円滑にするものである（例えば、特許文献２参照）。更に、従来、基本的に着呼や発呼の際の入力キー操作をトリガとして携帯電話の赤外線通信の接続先検索を開始する構成の携帯電話も知られている（例えば、特許文献３参照）。これにより、特許文献１乃至３記載の発明を組み合わせることにより、携帯電話本体からＢｌｕｅｔｏｏｔｈヘッドセットへ充電する構成が得られるのではないかと考えられる。
【０００７】
【特許文献１】
特開２００１−８６６５５号公報（第１−３頁、図１−図５）
【特許文献２】
特開２００１−１４５１６３号公報（第３−４頁）
【特許文献３】
特開平１１−１８６９５１号公報（第１−４頁、図１）
【０００８】
【発明が解決しようとする課題】
しかるに、特許文献１記載の発明では、一方の携帯電話端末の電池パックに十分な容量が残っているとき、他方の携帯電話端末に充電器や代替の電池パックが無いときに、一方の携帯電話端末が自分の電池パックの電圧を昇圧して他方の携帯電話端末の電池パックに充電する方法であり、携帯電話端末ケーブルが必要となるため、ケーブルがないと他方の携帯電話に電力を分けることができない。また、二つの携帯電話端末は独立して使用する携帯電話端末であり、携帯電話本体と近距離無線機能に対応したヘッドセットのように、ケーブルを必要とせず、また両者が一体となっており、使用時以外は一体として扱う一つの携帯電話端末には適用できない。
【０００９】
また、特許文献２には、無線接続可能な機器をサーチして得た無線接続可能な機器との間で音声信号を送受してその送受の結果を報知し、その報知結果に対する承認操作により無線接続可能な機器の登録の有無を選択し、選択した機器との間で相互の機器の認識情報を送受して登録する構成の無線接続装置が開示されており、上記の登録までの各工程をコンピュータに実行させる命令を含む制御プログラムを格納した記録媒体を無線接続装置であるＰＨＳ端末から着脱自在であることが開示されているが、近距離無線通信機能を持つヘッドセットを携帯電話本体に一体として装着でき、また着脱可能な構成は開示されていない。
【００１０】
更に、特許文献３には、赤外線通信手段を備えた携帯電話端末において、外部からの所定の入力があるまでは、赤外線通信が可能な外部機器が存在するかどうかを検索する動作を開始することなく、赤外線送受信手段による通信を開始しないようにすることで、携帯電話端末のバッテリの消費電力を抑制する効果は得られるが、携帯電話本体と近距離無線で接続する相手については、接続を開始する際に別途近距離無線の動作を開始する操作を行う必要がある。もしくは、携帯電話本体と近距離無線で接続する相手側は、予め待ち受け状態又は検索動作を起動しておかなければならず、電流消費が多くなるという問題がある。
【００１１】
また、近距離無線で接続する接続する相手が、備え付けハンズフリー装置など、常時給電を受けているものであれば、問題にならないが、ヘッドセットなどの小型化が要求され、かつ、バッテリにより動作する機器において、常時起動はバッテリ寿命に大きく影響し、小型化、軽量化の妨げとなる。
【００１２】
本発明は以上の点に着目してなされたもので、ヘッドセットを携帯電話本体とは別に充電する必要がなく、ヘッドセットの電池切れを気にすることなく、いつでも近距離無線を使ったヘッドセットで通話することが可能な携帯電話端末を提供することを目的とする。
【００１３】
また、本発明の他の目的は、近距離無線接続のための複雑な操作や入力キーが不要で、近距離無線接続を行うヘッドセットと携帯電話本体との取り外し一つの動作をトリガに、双方とも互いに近距離無線接続を行う動作に移行し得る、操作の簡易化や小型化が可能な携帯電話端末を提供することにある。
【００１４】
また、本発明の他の目的は、常時ヘッドセットの電源をオンにしておいたり、近距離無線機能を待ち受けておく必要が無く、ヘッドセットの無駄な電力消費を抑えることが可能な携帯電話端末を提供することにある。
【００１５】
【課題を解決するための手段】
上記の目的を達成するため、第１の発明は、携帯電話本体と、携帯電話本体と着脱自在に構成された近距離無線機能付きヘッドセットからなる携帯電話端末であって、携帯電話本体は、移動体通信システムの基地局との間で無線通信する第１の無線部と、ヘッドセットとの間で近距離無線通信を行う第２の無線部と、ヘッドセットの着脱状態を検出する検出回路と、電源電圧を出力する本体バッテリと、検出回路により検出されたヘッドセットとの着脱状態に応じてヘッドセットの電源のオン／オフ動作及び第２の無線部の動作を制御する第１の制御手段とを有し、
ヘッドセットは、電源電圧を出力するヘッドセットバッテリと、携帯電話本体との間で近距離無線通信を行う第３の無線部と、第１の制御手段からの制御信号に基づきヘッドセットバッテリへの充電動作及び第３の無線部の動作を制御する第２の制御手段とを有する構成としたものである。この発明では、外部機器とのインタフェースとして近距離無線通信機能を有する携帯電話本体と近距離無線通信機能を持つヘッドセットとが着脱可能で、両者が対として使用される。
【００１６】
また、上記の目的を達成するため、第２の発明は、携帯電話本体を、外部コネクタに充電器が接続されたときに充電動作を行う充電回路と、本体バッテリからの電圧をヘッドセットバッテリの充電に必要な電圧に昇圧する昇圧回路と、充電回路による充電先を本体バッテリ及びヘッドセットバッテリの一方に切り替えると共に、本体バッテリからの電圧を昇圧回路に供給するか否か切り替えるスイッチ手段と、スイッチ手段を本体バッテリのバッテリ残量や外部からの充電状況に応じて制御する充電制御回路とを更に有する構成としたものである。
【００１７】
また、上記の目的を達成するため、第３の発明は、上記の充電制御回路を、外部コネクタに充電器が接続されたときには、充電回路による充電先を本体バッテリとし、本体バッテリの電圧が所定の閾値以上のときは本体バッテリの電圧を昇圧回路を通してヘッドセットバッテリに供給するようにスイッチ手段を制御する構成としたものである。この発明では、携帯電話本体の本体バッテリの残量が十分なときには、携帯電話本体からヘッドセットバッテリへの充電ができる。
【００１８】
また、上記の目的を達成するため、第４の発明は、上記の充電制御回路を、本体バッテリの電圧が所定の閾値未満のときには、本体バッテリの電圧の昇圧回路への供給を停止するようにスイッチ手段を制御することを特徴とする。この発明では、携帯電話本体のバッテリ残量を監視し、閾値未満である場合、ヘッドセットに対して充電を行わないようにできる。
【００１９】
また、上記の目的を達成するため、第５の発明は、上記の第１の制御手段を、検出回路によりヘッドセットの携帯電話本体からの取り外し動作が検出されたときには、ヘッドセットの電源をオンとし、検出回路によりヘッドセットの携帯電話本体への装着が検出されたときには、ヘッドセットの電源をオフに制御することを特徴とする。この発明では、携帯電話本体からヘッドセットを取り外すときに、ヘッドセットの電源をオンとするため、常時ヘッドセットの電源をオンにしておいたり、近距離無線機能を待ち受けておく必要が無い。
【００２０】
また、上記の目的を達成するため、第６の発明は、上記の第１の制御手段を、検出回路によりヘッドセットの携帯電話本体からの取り外し動作が検出されたときには、第２の無線部の動作を開始する構成とし、上記の第２の制御手段を、第３の無線部の動作を開始する構成としたことを特徴とする。この発明では、携帯電話本体からヘッドセットを取り外すと、第２の無線部と第３の無線部のそれぞれが動作開始状態とされるため、携帯電話本体からヘッドセットを取り外す動作をトリガとして携帯電話本体とヘッドセット間の近距離無線通信を自動的に開始することができる。
【００２１】
また、上記の目的を達成するため、第７の発明は、上記の携帯電話本体を、携帯電話本体の動作状態を保存するメモリを有し、第１の制御手段は、検出回路によりヘッドセットの携帯電話本体からの取り外し動作が検出されたときには、第２の無線部が動作していないと判定したときにのみ携帯電話本体の第２の無線部の電源をオンとした後、第２の無線部が動作していると判定したときはそのままメモリに携帯電話本体の動作状態を保存し、検出回路によりヘッドセットの携帯電話本体への装着が検出されたときには、メモリから読み出した動作状態に戻すように制御することを特徴とする。この発明では、携帯電話本体からヘッドセットを装着したときには、携帯電話本体の動作状態をヘッドセット取り外し前の装着時の状態に復元することができる。
【００２２】
【発明の実施の形態】
次に、本発明の実施の形態について図面と共に説明する。図１は本発明になる携帯電話端末の一実施の形態の携帯電話端末のブロック図を示す。同図に示すように、この実施の形態の携帯電話端末は、携帯電話本体Ａと近距離無線機能付きヘッドセットＢとからなり、両者は端子Ｃで接続されている。
【００２３】
携帯電話本体Ａは、アンテナ１を介して無線信号の送受信を行う携帯電話無線部２と、携帯電話本体Ａの各部を制御する制御回路３と、電源制御回路４と、携帯電話本体Ａの各部に電源電圧を供給するバッテリ５と、バッテリ５の残量を検出する充電制御回路６と、充電電源切り替えスイッチ７と、充電器が接続される外部コネクタ８と、充電器により充電される充電回路９と、充電切り替えスイッチ１０と、バッテリ５のバッテリ電圧を所定電圧にまで昇圧する昇圧回路１１と、ヘッドセットＢとの脱着状態を検出回路１２と、状態保存メモリ１３と、近距離無線制御回路１４と、アンテナ１６を介して近距離無線機能付きヘッドセットＢと近距離無線通信する近距離無線無線部１５とより構成されている。
【００２４】
携帯電話無線部２は、移動体通信システムの基地局との間で無線通信をする第１の無線部であり、基地局を通して移動体通信システムの相手端末との間で通信を行う。一方、近距離無線無線部１５は、近距離無線機能付きヘッドセットＢとの間で近距離無線通信を行う第２の無線部である。
【００２５】
充電電源切り替えスイッチ７は共通端子がバッテリ５に接続され、バッテリ５を充電電源切り替えスイッチ１０又は昇圧回路１１に切り替え接続する。また、充電電源切り替えスイッチ１０は共通端子が充電回路９に接続され、充電回路９を充電電源切り替えスイッチ７又はヘッドセットバッテリ１７に切り替え接続する。なお、充電制御回路６により充電電源切り替えスイッチ７は通常は充電電源切り替えスイッチ１０に接続され、充電電源切り替えスイッチ１０は通常は充電電源切り替えスイッチ７に接続される。
【００２６】
また、近距離無線機能付きヘッドセットＢは、ヘッドセットの各部に電源電圧を供給するヘッドセットバッテリ１７と、ヘッドセットの各部を制御する近距離無線制御回路１８と、アンテナ２０を介して携帯電話本体との間で近距離無線通信する近距離無線無線部１９とより構成されている。
【００２７】
本発明の携帯電話端末は、エコーキャンセル技術などの発展や、Ｂｌｕｅｔｏｏｔｈなどの無線技術のモジュール小型化技術の進歩により近距離無線通信機能付きヘッドセットの小型化の実現が可能になってきているため、例えば図２（Ａ）に示すように、携帯電話本体３０の上部筐体部３３の一部に耳かけ型ヘッドセット３１を組み込む構成も可能である。なお、図２（Ａ）に示す携帯電話本体３０は、下部筐体部３２と表示部３４が設けられた上部筐体部３３とが、各一側端部が回動自在に結合された折り畳み型携帯電話とされているが、これに限定されるものではない。
【００２８】
また、近年、携帯電話のアンテナが内蔵される傾向にあるが、図２（Ｂ）に示す携帯電話端末は、携帯電話本体３５の、従来アンテナがあつた位置３６に、縦長のヘッドセット３７を差し込めるような構造となっている。本発明の携帯電話端末の各実施の形態は、図２（Ａ）、（Ｂ）に示すような携帯電話本体３０、３５と、ヘッドセット３１、３７とが着脱自在な構成である。
【００２９】
次に、本発明の実施の形態の動作について図１及び図３のフローチャートを併せ参照して説明する。携帯電話本体Ａ（図２の３０、３５に相当）のコネクタＣに、近距離無線機能付きヘッドセットＢ（図２の３１、３７に相当）が装着された初期状態において、ヘッドセットＢを携帯電話本体Ａから取り外す取り外し動作が行われたものとする（図３のステップＳ０、Ｓ１）。例えば、図２（Ｂ）に示した構造の携帯電話端末の場合、携帯電話本体３５から少し見えているヘッドセット３７の部分３６を１回押し込むと、ヘッドセット３７の部分３６がより携帯電話本体３５から飛び出て取り外しやすくなり、ヘッドセット３７の部分３６を手で掴んで取り外す。
【００３０】
上記のヘッドセットの部分３７を押し込んだ動作を、ヘッドセット脱着動作２２として、図１の脱着状態検出回路１２が検出し、ヘッドセットＢの電源をオンとすると同時に、近距離無線制御回路１８を起動する（図３のステップＳ７）。これにより、ヘッドセットＢの近距離無線制御回路１８、近距離無線無線部１９及び近距離無線アンテナ２０の動作開始により、接続待ち（Ｓｃａｎ）状態を開始する（図３のステップＳ８）。
【００３１】
一方、携帯電話端末のオン／オフとは別に、消費電力を抑えるために使用しないときは近距離無線機能をオフできる本実施の形態の携帯電話端末において、脱着状態検出回路１２がヘッドセットＢの取り外し動作を検出すると、制御回路３は携帯電話本体Ａの近距離無線機能使用状態を確認する（図３のステップＳ２）。これにより、制御回路３が近距離無線制御回路１４を通して近距離無線無線部１５が使用中かどうか判定し（図３のステップＳ３）、使用中でなければ、近距離無線無線部１５の電源をオンとした後（図３のステップＳ４）、その状態を状態保存メモリ１３に一時的に保存する（図３のステップＳ５）。
【００３２】
また、上記のステップＳ３でヘッドセットと接続する以外の機能で使用中であると判定されたときは、既に近距離無線無線部１５の電源がオンであるので、その状態を状態保存メモリ１３に一時的に保存する（図３のステップＳ５）。制御回路３は上記のステップＳ５での保存処理に続いて、近距離無線制御回路１４、近距離無線無線部１５、近距離無線アンテナ１６の動作開始により、接続確立動作を行い（図３のステップＳ６）、接続待ち状態にあるヘッドセットＢと携帯電話本体Ａ間でリンクを確立する（図３のステップＳ９）。リンクの確立に成功すると、近距離無線を介したヘッドセットＢを使用して、携帯電話本体Ａの通話が可能となる（図３のステップＳ１０）。
【００３３】
本実施の形態の近距離無線ヘッドセット付き携帯電話端末では、携帯電話本体Ａと近距離無線機能付きヘッドセットＢは、互いに対となっており、例えば近距離無線がＢｌｕｅｔｏｏｔｈの場合、互いのアドレス（ＢＤ＿ＡＤＤＲ）を予め特定することができ、認証のためのキーを予め交換して認証を確立しておくことが可能である。これは、ユーザが本実施の形態の携帯電話端末を購入後に行ってもよいが、製造業者が予め行っておくことも可能であり、面倒な認証動作を行わず、ユーザは意識することなく、Ｂｌｕｅｔｏｏｔｈによるヘッドセットを直ぐに使用できることを意味する。
【００３４】
このように、本実施の形態では、携帯電話本体ＡからヘッドセットＢを取り外すときに、ヘッドセットＢの電源をオンとするため、常時ヘッドセットの電源をオンにしておいたり、近距離無線機能を待ち受けておく必要が無く、ヘッドセットＢの無駄な電力消費を抑えることができる。また、本実施の形態によれば、携帯電話本体ＡからヘッドセットＢを取り外すと、携帯電話本体ＡとヘッドセットＢ間の近距離無線通信を自動的に開始するようにしたため、ユーザが煩雑な近距離無線接続動作を行うことなく、直ぐにヘッドセットＢを介して通話等を行うことができる。
【００３５】
ヘッドセットＢを使用して通話等を行った後、通話が終了すると、ヘッドセットＢを携帯電話本体Ａに装着する（図３のステップＳ１１）。図１の脱着状態検出回路１２は、このヘッドセットＢの携帯電話本体Ａへの装着を検出すると、制御回路３を介して電源制御回路４に通知し、電源制御回路４がヘッドセットＢの電源をオフとすると共に、携帯電話本体Ａ内の近距離無線制御回路１４、近距離無線無線部１５及び近距離無線アンテナ１６を含む近距離無線機能をオフとする（図３のステップＳ１２）。
【００３６】
一方、脱着状態検出回路１２からヘッドセットＢの携帯電話本体Ａへの装着の検出が制御回路３に通知されると、制御回路３は携帯電話本体ＡとヘッドセットＢとの近距離無線接続を終了する。このとき、制御回路３はヘッドセットＢとの接続使用時に保存した状態保存メモリ１３の記憶内容を確認し、他の用途で近距離無線を使用していた場合は元の状態に戻し、使用していなかった場合は、電源制御回路４に通知し、近距離無線機能をオフとする（図３のステップＳ１３）。
【００３７】
また、制御回路３は、脱着状態検出回路１２からヘッドセットＢの携帯電話本体Ａへの装着の検出が通知されると、その旨を充電制御回路６にも通知し、充電制御回路６が本体バッテリ５の状態を確認し（図３のステップＳ１４）、一定の閾値以上の残量があるかどうか判定し（図３のステップＳ１５）、一定の閾値以上の残量が有るときには、充電電源切り替えスイッチ７を昇圧回路１１側に切り替え、バッテリ５の電圧を昇圧回路１１で充電可能な電圧に昇圧してヘッドセットバッテリ１７に供給して、これを充電する（図３のステップＳ１６）。
【００３８】
ヘッドセットバッテリ１７への充電が完了すると（図３のステップＳ１７）、ステップＳ０の初期状態に戻る。なお、ステップＳ１５でバッテリ５に一定の閾値以上の残量が無いときには、上記のヘッドセットバッテリ１７への充電は行わず、ステップＳ０の初期状態に戻る。
【００３９】
以上は、携帯電話本体ＡのコネクタＣに、近距離無線機能付きヘッドセットＢを装着又は取り外したときの説明であるが、次に、外部コネクタ８に充電器を接続したときの本実施の形態の動作について説明する。携帯電話本体ＡのコネクタＣに、近距離無線機能付きヘッドセットＢが装着された初期状態において、外部コネクタ８に充電器を接続すると、充電回路９が充電器により充電を開始する。
【００４０】
すると、充電制御回路６が充電回路９に接続されている充電電源切り替えスイッチ１０を充電電源切り替えスイッチ７側に切り替えると共に、バッテリ５に接続されている充電電源切り替えスイッチ７を充電電源切り替えスイッチ１０側に切り替えて、充電回路９からの電圧を充電電源切り替えスイッチ１０及び７を通してバッテリ５への充電を開始する。
【００４１】
バッテリ５がフルに充電されると、充電制御回路６がこれを検出して充電電源切り替えスイッチ１０をヘッドセットバッテリ１７側に切り替え、バッテリ５の電圧を充電電源切り替えスイッチ７及び１０を通してヘッドセットバッテリ１７に供給して、その充電を開始する。ヘッドセットバッテリ１７への充電が完了すると、充電回路９の充電動作は終了する。
【００４２】
このように、本実施の形態では、携帯電話本体ＡとヘッドセットＢが一体となっており、携帯電話本体Ａのバッテリ５がフルに充電されたときに、ヘッドセットバッテリ１７への充電に切り替える構成としているため、ケーブル等を別に持ち歩かなくとも、意識することなくヘッドセットＢのバッテリ切れを防止でき、携帯電話本体Ａのバッテリ５さえ充電しておけば、いつでも近距離無線を使ったヘッドセットＢで通話をすることができる。
【００４３】
また、本実施の形態によれば、携帯電話本体Ａのバッテリ５の残量を監視し、閾値以下である場合、ヘッドセットバッテリ１７に対して充電を行わないようにしたため、ヘッドセットバッテリ１７への電源供給のために携帯電話本体Ａが使用できなくなることを防止することができる。
【００４４】
なお、本発明は上記の実施の形態に限定されるものではなく、例えば、基本的構成は図１と同様の構成であるが、例えば携帯電話本体のスピーカ／マイクにより通話中に、ヘッドセットを取り外してヘッドセットを切り替えて使用する場合、携帯電話本体の音声コーデックを使用中に、ヘッドセットを取り外す動作を検出し、携帯電話本体とヘッドセット間でリンクが接続したタイミングで制御回路３が、携帯電話本体の音声コーデックの使用から近距離無線へ切り替える動作を行うようにしてもよい。
【００４５】
【発明の効果】
以上説明したように、本発明によれば、携帯電話本体と近距離無線通信機能を持つヘッドセットとが着脱可能で、両者が対として使用されるため、ユーザが携帯電話本体とヘッドセットとを別々に持ち歩く必要がない。
【００４６】
また、本発明によれば、携帯電話本体のバッテリの残量が十分なときには、携帯電話本体からヘッドセットバッテリへの充電が可能であるため、携帯電話本体とは別にヘッドセットバッテリを充電する必要がなく、ケーブル等を別に持ち歩かなくとも、ユーザはヘッドセットのバッテリ切れを気にすることなく、携帯電話本体のバッテリさえ充電しておけば、いつでも近距離無線を使ったヘッドセットで通話をすることができる。
【００４７】
また、本発明によれば、携帯電話本体のバッテリ残量を監視し、閾値未満である場合、ヘッドセットに対して充電を行わないようにしたため、ヘッドセットへの電源供給のために携帯電話本体が使用できなくなることを防止することができる。
【００４８】
また、本発明によれば、携帯電話本体からヘッドセットを取り外すときに、ヘッドセットの電源をオンとするため、常時ヘッドセットの電源をオンにしておいたり、近距離無線機能を待ち受けておく必要が無く、ヘッドセットの無駄な電力消費を抑えることができる。
【００４９】
更に、本発明によれば、携帯電話本体からヘッドセットを取り外すと、携帯電話本体とヘッドセット間の近距離無線通信を自動的に開始するようにしたため、近距離無線接続のための複雑な操作や入力キーが不要になり、操作の簡易化や装置の小型化を実現できると共に、ユーザが煩雑な近距離無線接続動作を行うことなく、直ぐにヘッドセットを介して通話等を行うことができる。
【図面の簡単な説明】
【図１】本発明の一実施の形態の携帯電話端末のブロック図である。
【図２】本発明の各例の外観斜視図である。
【図３】本発明の一実施の形態の動作説明用フローチャートである。
【符号の説明】
Ａ、３０、３５  携帯電話本体
Ｂ、３１、３７  近距離無線機能付きヘッドセット
Ｃ  コネクタ
２  携帯電話無線部
３  制御回路
４  電源制御回路
５  バッテリ
６  充電制御回路
７、１０  充電電源切り替えスイッチ
８  外部コネクタ
９  充電回路
１１  昇圧回路
１２  脱着状態検出回路
１３  状態保存メモリ
１４、１８  近距離無線制御回路
１５、１９  近距離無線無線部
１７  ヘッドセットバッテリ
【図１】
2004215196.tif 000003
【図２】
2004215196.tif 000004
【図３】
2004215196.tif 000005